(57)【要約】      （修正有）【課題】２本のストラップを簡便に合流、固定し、その位置を移動出来て、一方のストラップがアジャスターの効果を有する留め金を提供する。【解決手段】線構成のクリップ本体の縦枠ライン中程から、クリップ内空間中心に向かって、延長を始め、水平に一回転し、元の縦枠ラインへ戻り、このクリップ空間内に、クリップ横幅に対し、四分の一から三分の一程の直径での円１を形成し、対角線側にも施し、おのおのの対角線側寄りに、クリップ空間内に張り出した、ふたつの円１を持つ構造で、このふたつの円が、クリップ空間内中心を横ぎる波形曲線として挟み抑える箇所になる事で、安定補助力を増す。【選択図】図２
0003213168.tif 000002
【実用新案登録請求の範囲】
【請求項１】
線構成のクリップ本体の縦枠ライン中程から、クリップ内空間中心に向かって延長を始め、水平に一回転し、元の縦枠ラインへ戻り、このクリップの空間内に、クリップ横幅に対し、四分の一から三分の一程の直径での円を形成する。線構成の軽量である点を損わずにクリップ容積にみ立てた空間内をせばめ、挟んだ薄い物等の安定を補助する。
【請求項２】
請求項１に記述の円を、同物対角線側にも施し、おのおのの対角線側寄りに、クリップ空間内に張り出した、ふたつの円が、クリップ空間内中心を横ぎる波形曲線として、挟み抑える箇所になる事で、安定補助力を増す。
【請求項３】
請求項１と２に記述の対角線仕様で、線構成のクリップ半分から分かれた、ふたつで本体となる部分は、同一の物の作成で結着し、工程とコストの削減である事。
【請求項４】
請求項１と２に記述の円の作成は、クリップ本体縦枠の作成が、下から上へ進行すると仮定して、手前右縦枠中程地点から、向かって右から左へ、外回りで対角線側へ向かい、向かって左から右に手前を通り、円の出発地点の下で交差して終り、元の縦枠へ戻り上へ進行する。とする事で、円を持つ縦枠も、最下辺挟着部に挟持部の力が伝わり易い、と考える。
【請求項５】
線構成クリップの片側の挟持部の二本の縦ラインを、もう一方の挟持部の二倍弱に延長して結び、その二本のラインをもう一方の挟持部に合わせた高さで、外側にふたつ折りにする事により横一辺を持つ空間に、平行に取り付ける、面が持つ一辺に対し、このクリップ自体を平行に取り付ける、事が出来る。
【考案の詳細な説明】
【技術分野】
【０００１】  本考案は、挟着部の安定制を補助し、本体自体を安定させる挟持部を有する、クリップの分類である。
【背景技術】
【０００２】  ストラップ同志の合流を成しその位置を同時に移動出来、一方のストラップ自体での、位置が移動出来る必要がある。
【考案が解決しようとする課題】
【０００３】  ２本のストラップを簡便に合流、固定し、その位置を移動できる。一方のストラップにアジャスターの効果を使える二役の道具とする。
【課題を解決するための手段】
【０００４】  ワンタッチで挟着できるクリップの挟着部を、補助する機能を作成する。挟着部に、他のストラップを促える機能を作成する。この部分で、合流固定部とは、独立して促える位置を変える事が出来、アジャスターの効果と成る。
【考案を実施するための形態】
【０００５】  線構成の容積に見たてた空間内に、本体縦枠で、対角線位置の計２箇所に縦枠ラインから延長したひとつずつの円、図２の１を作成し、挟着部とは距離を持ち並ぶ曲線で促える、挟着補助部、図１の１を作成する。２本の縦ラインから成る片側の挟着部を、その６分の４から５分の４程の延長をして、挟持部側の幅の２倍弱の幅で結び、その２本のラインを平行な位置で、もう一方の挟持部に合わせた高さで外側にふたつ折りにし、図２の２を作成。このふたつ折りの内側に、ストラップの必要な位置を挟み、或いは、ふたつ折りで４本となった、挟着部縦ラインに、ストラップを波形に通し、アジャスターの効果を成し上記作成の挟着部に他のストラップを挟み、２本の合流を成し、基々が位置移動できる。
【図面の簡単な説明】
【０００６】
【図１】本体を上から見た図
【図２】本体を正面斜めから見た図
【符号の説明】
【０００７】１  挟着部補助の円
２  外側へふたつ折りにした挟持部
【図１】
0003213168.tif 000003
【図２】
0003213168.tif 000004
【手続補正書】
【提出日】平成29年3月23日(2017.3.23)
【手続補正１】
【補正対象書類名】実用新案登録請求の範囲
【補正対象項目名】請求項５
【補正方法】変更
【補正の内容】
【請求項５】
線構成クリップの片側の挟持部の２本の縦ラインを、もう一方の挟持部の６分の４から５分の４程の延長をして、挟着部側の幅の、２倍弱程の幅で結び、その２本のラインを平行な位置で、もう一方の挟持部に合わせた高さで外側にふたつ折りにする事により、水平な一辺を持つ場所に、平行に掛ける事が出来る。水平な面積内に配したどの方向の一辺に対してでも、平行に取り付ける事が出来る。
【手続補正２】
【補正対象書類名】明細書
【補正対象項目名】全文
【補正方法】変更
【補正の内容】
【考案の詳細な説明】
【技術分野】
【０００１】本考案は、挟着部の安定制を補助し、本体自体を安定させる挟持部を有する、クリップの分類である。
【背景技術】
【０００２】ストラップ同志の合流を成し、その位置を同時に移動出来、一方のストラップ自体での、位置が移動出来る必要がある。
【考案の概要】
【考案が解決しようとする課題】
【０００３】  ２本のストラップを簡便に合流、固定し、その位置を移動できる。一方のストラップにアジャスターの効果を使える二役の道具とする。
【課題を解決するための手段】
【０００４】  ワンタッチで挟着できるクリップの挟着部を、補助する機能を作成する。挟持部に、他のストラップを促える機能を作成する。この部分で、合流固定部とは、独立して促える位置を変える事が出来、アジャスターの効果と成る。
【考案を実施するための形態】
【０００５】  線構成の容積に見たてた空間内に、本体縦枠で、対角線位置の計２箇所に縦枠ラインから延長したひとつずつの円、図２の１を作成し、挟着部とは距離を持ち並ぶ曲線で促える、挟着補助部、図１の１を作成する。２本の縦ラインから成る片側の挟持部を、その６分の４から５分の４程の延長をして、挟着部側の幅の２倍弱の幅で結び、その２本のラインを平行な位置で、もう一方の挟持部に合わせた高さで外側にふたつ折りにし、図２の２を作成。このふたつ折りの内側に、ストラップの必要な位置を挟み、或いは、ふたつ折りで４本となった挟着部側の縦ラインにストラップを波形に通し、アジャスターの効果を成し上記作成の挟着部に他のストラップを挟み、２本の合流を成し、基々が位置移動できる。
【図面の簡単な説明】
【０００６】
【図１】  本体を上から見た図
【図２】  本体を正面斜めから見た図
【符号の説明】
【０００７】  １  挟着部補助の円
２  外側へふたつ折りにした挟持部
【手続補正書】
【提出日】平成29年7月31日(2017.7.31)
【手続補正１】
【補正対象書類名】実用新案登録請求の範囲
【補正対象項目名】全文
【補正方法】変更
【補正の内容】
【実用新案登録請求の範囲】
【請求項１】
線構成のクリップ本体の縦枠ライン中程から、クリップ内空間中心に向かって、延長を始め、水平に一回転し、元の縦枠ラインへ戻り、このクリップ空間内に、クリップ横幅に対し、四分の一から三分の一程の直径での円を形成、同物対角線側にも施し、おのおのの対角線側寄りに、クリップ空間内に張り出した、ふたつの円を持つ構造で、このふたつの円が、クリップ空間内中心を横ぎる波形曲線として挟み抑える箇所になる事で、安定補助力を増す、という事が特徴の留め具。